(57)【要約】  ジッパーは、ジッパーを開放するために開放方向に、かつジッパーを閉鎖するために閉鎖方向に移動可能なスライダ（１４）を有する。スライダ（１４）は、制御部材（５８）とケーシング（１８、４０、４６）とを備え、制御部材（５８）は、開放方向のスライダ（１４）の移動が防止されるロック位置と、開放方向のスライダ（１４）の移動が可能にされるロック解除位置との間で移動可能である。制御部材（５８）がロック位置にあるとき、ケーシング（１８、４０、４６）は、ロック位置からロック解除位置に制御部材（５８）を移動させる傾向を有する接触力の適用を実質的に防止するように少なくとも部分的に制御部材（５８）を囲む。制御部材（５８）は、近傍の永久磁石（７８）によって磁力が適用される材料から少なくとも部分的に形成される。したがって、制御部材（５８）は、磁力を制御部材（５８）に適用することによってロック位置からロック解除位置に移動されることができる。
2016506801.tif 000002
【特許請求の範囲】
【請求項１】
ジッパーを開放するために開放方向に、かつ前記ジッパーを閉鎖するために閉鎖方向に移動可能なスライダを有するジッパーにおいて、前記スライダが制御部材とケーシングとを備え、前記制御部材が、前記開放方向の前記スライダの移動が防止されるロック位置と、前記開放方向の前記スライダの移動が可能にされるロック解除位置との間で移動可能であり、前記制御部材が前記ロック位置にあるとき、前記ケーシングが、前記ロック位置から前記ロック解除位置に前記制御部材を移動させる傾向を有する接触力の適用を実質的に防止するように少なくとも部分的に前記制御部材を囲み、前記制御部材が、近傍の永久磁石によって磁力が適用される材料から少なくとも部分的に形成され、これによって、磁力を前記制御部材に適用することによって前記制御部材が前記ロック位置から前記ロック解除位置に移動することを可能にすることを特徴とする、スライダ。
【請求項２】
制御部材とケーシングとを備えるジッパー用のスライダにおいて、前記制御部材が、前記スライダを組み込む前記ジッパーの開放を防止するためのロック位置と、前記ジッパーの開放を可能にするためのロック解除位置との間で移動可能であり、前記制御部材が前記ロック位置にあるとき、前記ケーシングが、前記ロック位置から前記ロック解除位置に前記制御部材を移動させる傾向を有する接触力の適用を実質的に防止するように少なくとも部分的に前記制御部材を囲み、前記制御部材が、近傍の永久磁石によって磁力が適用される材料から少なくとも部分的に形成され、これによって、磁力を前記制御部材に適用することによって前記制御部材が前記ロック位置から前記ロック解除位置に移動することを可能にすることを特徴とする、スライダ。
【請求項３】
請求項１に記載のジッパーまたは請求項２に記載のスライダにおいて、前記ケーシングが実質的に完全に前記制御部材を囲み、前記制御部材が、前記ケーシングの近傍および前記ケーシングの外部の永久磁石によって前記制御部材に適用された磁力によって前記ロック位置から前記ロック解除位置に移動可能であることを特徴とするジッパーまたはスライダ。
【請求項４】
請求項１または請求項３に記載のジッパー、あるいは請求項２または請求項３に記載のスライダにおいて、前記磁力が磁気引力であることを特徴とするジッパーまたはスライダ。
【請求項５】
請求項１、３または４の何れか１項に記載のジッパー、あるいは請求項２乃至４の何れか１項に記載のスライダにおいて、前記材料がフェライト材料であることを特徴とするジッパーまたはスライダ。
【請求項６】
請求項１、３乃至５の何れか１項に記載のジッパー、あるいは請求項２乃至５の何れか１項に記載のスライダにおいて、前記ケーシングが非磁性材料から形成されることを特徴とするジッパーまたはスライダ。
【請求項７】
請求項１、３乃至６の何れか１項に記載のジッパー、あるいは請求項２乃至６の何れか１項に記載のスライダにおいて、前記スライダに、前記制御部材を前記ロック位置内に弾性的に付勢するための手段が設けられることを特徴とするジッパーまたはスライダ。
【請求項８】
請求項７に記載のジッパーまたはスライダにおいて、前記スライダが、前記制御部材がロック解除位置に移動されると、弾性付勢手段に対抗して前記制御部材を前記ロック解除位置に保持するために動作可能である戻り止め機構を有することを特徴とするジッパーまたはスライダ。
【請求項９】
請求項１、３乃至８の何れか１項に記載のジッパー、あるいは請求項２乃至８の何れか１項に記載のスライダにおいて、前記ロック解除位置から前記ロック位置に前記制御部材を移動させるために手で直接操作することができるボタンが、前記スライダに設けられることを特徴とするジッパーまたはスライダ。
【請求項１０】
請求項９に記載のジッパーまたはスライダにおいて、前記ボタンが前記ケーシングの部分であることを特徴とするジッパーまたはスライダ。
【請求項１１】
請求項９が請求項８に従属するとき、請求項９または１０に記載のジッパーまたはスライダにおいて、前記ボタンの操作が、前記ロック解除位置から前記ロック位置に前記制御部材を移動させるために前記戻り止め機構に優先することを特徴とするジッパーまたはスライダ。
【請求項１２】
請求項１、３乃至１１のいずれか１項に記載のジッパーにおいて、前記ジッパーが２列の相互ロック可能な要素を有し、前記スライダが前記ロック位置と前記ロック解除位置との間で移動可能なロック部材を含み、前記制御部材が前記ロック位置にあるとき、前記開放方向の前記スライダの摺動移動を防止するために前記ロック部材が前記要素の間に間挿され、また前記ロック部材が前記ロック解除位置にあるとき、前記ジッパーを開放するために前記スライダが前記開放方向に摺動可能であり、前記ロック位置から前記ロック解除位置の前記制御部材の移動により、前記ロック部材が前記ロック位置から前記ロック解除位置に移動させられるかまたは移動が可能にされることを特徴とするジッパー。
【請求項１３】
請求項１２に記載のジッパーにおいて、前記ロック位置から前記ロック解除位置の前記制御部材の移動により、前記ロック部材が前記ロック位置から前記ロック解除位置に移動させられるように、前記制御部材が前記ロック部材に操作可能に連結されることを特徴とするジッパー。
【請求項１４】
請求項１３に記載のジッパーにおいて、前記制御部材と前記ロック部材との間の前記操作連結機構が、前記制御部材と前記ロック部材との間の磁気引力であることを特徴とするジッパー。
【請求項１５】
請求項１２乃至１４の何れか１項に記載のジッパーにおいて、前記ロック部材が枢着部分とピン部分とを有し、前記ロック部材が、前記枢着部分によって画定された箇所のほぼ周りで前記ロック位置と前記ロック解除位置との間で枢着し、前記ピン部分が、前記ロック部材が前記ロック位置にあるときに前記開放方向の前記スライダの移動を防止するために要素の間に間挿されることを特徴とするジッパー。
【請求項１６】
請求項１２乃至１５の何れか１項に記載のジッパーにおいて、前記スライダに、前記制御部材を前記ロック位置内に弾性的に付勢するための手段が設けられ、前記制御部材が前記ロック位置に移動するにつれて、前記制御部材が前記ロック部材を支承して、前記ロック部材を前記ロック位置内に付勢することを特徴とするジッパー。
【請求項１７】
請求項１、３乃至１１の何れか１項に記載のジッパー、あるいは請求項２乃至１１の何れか１項に記載のスライダにおいて、前記スライダが、２列のジッパー要素を受容するためのＹ字形の管路を画定し、前記スライダが、前記制御部材が前記ロック位置にあるときに前記Ｙ字形の管路内に突出するロックピンを含むことを特徴とするジッパーまたはスライダ。
【請求項１８】
請求項１、３乃至１７の何れか１項に記載のジッパーと、前記ロック位置から前記ロック解除位置に前記制御部材を移動させるための永久磁石とを備えるキット。
【請求項１９】
請求項１、３乃至１７の何れか１項に記載のジッパーによって閉鎖されるバッグを備えるセキュリティバッグ。
【請求項２０】
請求項１９に記載のセキュリティバッグにおいて、前記バッグが、前記バッグの内容の観察を可能にするように透明プラスチック材料から少なくとも部分的に形成されることを特徴とするセキュリティバッグ。
【請求項２１】
図面を参照して実質的に前に記載したジッパー。
【請求項２２】
図面を参照して実質的に前に記載したスライダ。
【請求項２３】
図面を参照して実質的に前に記載したセキュリティバッグ。
【発明の詳細な説明】
【技術分野】
【０００１】
ありふれたタイプのジッパーは、２つの列の相互ロック可能な要素（または歯）と、ジッパーを開放するために開放方向に、かつジッパーを閉鎖するために閉鎖方向に移動させることができるスライダとを備える。
【背景技術】
【０００２】
このようなジッパーの例は、米国特許第２，５９９，０７８号明細書および米国特許第５，２５５，４１８号明細書に開示されている。これらの文献の各々は、開放方向のスライダの意図しない移動を防止するために役立つ自動ロック機構を含むスライダを有するジッパーを開示している。各々の場合に、ロック機構は、開放方向のスライダの移動が防止されるロック位置からロック解除位置に移動可能な制御部材を含む。ロック位置からロック解除位置の制御部材の移動は、制御部材に物理的に係合するプルタブを介して、力を制御部材に加えることによって達成される。米国特許第２，５９９，０７８号明細書および米国特許第５，２５５，４１８号明細書の両方において、制御部材は、制御部材と一体的に形成されたピンを有し、ピンは、ロックを達成するためにジッパーの要素の間に間挿される。
【０００３】
他のジッパーは、組み合わせロックまたはキー操作式ロックを組み込むセキュリティロック機構が設けられるスライダを有し、ジッパーの無許可の開放を防止するためにスライダのロックを可能にする。
【０００４】
本発明の第１の形態によれば、ジッパーであって、ジッパーを開放するために開放方向に、かつジッパーを閉鎖するために閉鎖方向に移動可能なスライダを有し、スライダが制御部材とケーシングとを備え、制御部材が、開放方向のスライダの移動が防止されるロック位置と、開放方向のスライダの移動が可能にされるロック解除位置との間で移動可能であり、制御部材がロック位置にあるとき、ケーシングが、ロック位置からロック解除位置に制御部材を移動させる傾向を有する接触力の適用を実質的に防止するように少なくとも部分的に制御部材を囲み、制御部材が、近傍の永久磁石によって磁力が適用される材料から少なくとも部分的に形成され、これによって、磁力を制御部材に適用することによって制御部材がロック位置からロック解除位置に移動することを可能にするジッパーが提供される。
【０００５】
本発明の第２の形態によれば、ジッパー用のスライダであって、制御部材とケーシングとを備え、制御部材が、スライダを組み込むジッパーの開放を防止するためのロック位置と、ジッパーの開放を可能にするためのロック解除位置との間で移動可能であり、制御部材がロック位置にあるとき、ケーシングが、ロック位置からロック解除位置に制御部材を移動させる傾向を有する接触力の適用を実質的に防止するように少なくとも部分的に制御部材を囲み、制御部材が、近傍の永久磁石によって磁力が適用される材料から少なくとも部分的に形成され、これによって、磁力を制御部材に適用することによって制御部材がロック位置からロック解除位置に移動することを可能にするジッパー用のスライダが提供される。
【０００６】
本明細書に使用されているように、「接触力」という用語は、２つの固体物体の間の物理的な接触を通して適用される機械的な力、例えば、押圧または機械的係合によって適用される力、または摩擦を介して適用される力を指すが、２つの物体の間の粘着を必要とする任意の力にも、２つの物体の間の磁気引力または斥力にも敷衍しない。
【０００７】
本明細書に使用されている近傍は、近くにしかし接触はしない、および接触の両方を含む。
【０００８】
好ましくは、本発明の第１または第２の形態のいずれかにおいて、ケーシングは実質的に完全に制御部材を囲む。制御部材は、ケーシングの近傍およびケーシングの外部の永久磁石によって制御部材に適用された磁力によってロック位置からロック解除位置に移動可能である。
【０００９】
本発明の第３の形態によれば、ジッパーを開放するために開放方向に、かつジッパーを閉鎖するために閉鎖方向に移動可能なスライダを有するジッパーであって、スライダが制御部材とケーシングとを備え、制御部材が、開放方向のスライダの移動が防止されるロック位置と、開放方向のスライダの移動が可能にされるロック解除位置との間で移動可能であり、ケーシングが実質的に完全に制御部材を囲み、制御部材が、近傍の永久磁石によって磁力が適用される材料から少なくとも部分的に形成され、これによって、ケーシングの近傍およびケーシングの外部の永久磁石によって磁力を制御部材に適用することによって制御部材がロック位置からロック解除位置に移動することを可能にするジッパーが提供される。
【００１０】
本発明の第４の形態によれば、ジッパー用のスライダであって、制御部材とケーシングとを備え、制御部材が、スライダを組み込むジッパーの開放を防止するためのロック位置と、ジッパーの開放を可能にするためのロック解除位置との間で移動可能であり、ケーシングが実質的に完全に制御部材を囲み、制御部材が、近傍の永久磁石によって磁力が適用される材料から少なくとも部分的に形成され、これによって、ケーシングの近傍およびケーシングの外部の永久磁石によって磁力を制御部材に適用することによって制御部材がロック位置からロック解除位置に移動することを可能にするスライダが提供される。
【００１１】
特に明記しない限り、次の好ましい特徴は、互いに無関係であり、かつ本発明のすべての形態に適用可能である。
【００１２】
好ましくは、磁力は磁気引力である。材料はフェライト材料であることが好ましい。ケーシングは非磁性材料から形成される。
【００１３】
好ましくは、スライダには、制御部材をロック位置内に弾性的に付勢するための手段が設けられる。このような弾性の付勢手段が設けられる場合、スライダが、制御部材がロック解除位置に移動されると、弾性付勢手段に対抗して制御部材をロック解除位置に保持するために動作可能である戻り止め機構を有することが望ましい。
【００１４】
好ましくは、ロック解除位置からロック位置に制御部材を移動させるために手で直接操作することができるボタンが、スライダに設けられる。ボタンはケーシングの部分でもよい。ボタンおよび戻り止め機構の両方が設けられる場合、ボタンの操作が、ロック解除位置からロック位置に制御部材を移動させるために戻り止め機構に優先する。
【００１５】
好ましくは、ジッパーは、２つの列の相互ロック可能な要素を有し、スライダはロック位置とロック解除位置との間で移動可能なロック部材を含む。ロック部材がロック位置にあるとき、開放方向のスライダの摺動移動を防止するために、ロック部材が要素の間に間挿され、またロック部材がロック解除位置にあるとき、ジッパーを開放するためにスライダが開放方向に摺動可能である。ロック位置からロック解除位置の制御部材の移動により、ロック部材は、ロック位置からロック解除位置に移動させられるかまたは移動が可能にされる。
【００１６】
このようなロック部材が設けられる場合、制御部材は、ロック位置からロック解除位置の制御部材の移動により、ロック部材がロック位置からロック解除位置に移動させられるように、ロック部材に操作可能に連結されることが好ましい。このことは、制御部材とロック部材との間の磁気引力によって達成することができる。
【００１７】
ロック部材が設けられる場合、ロック部材は、枢着部分とピン部分とを有することが好ましい。ロック部材は、枢着部分によって画定された箇所のほぼ周りでロック位置とロック解除位置との間で枢着し、ピン部分は、ロック部材がロック位置にあるときに開放方向のスライダの移動を防止するために要素の間に間挿される。
【００１８】
好ましくは、スライダは、２つの列のジッパー要素を受容するためのＹ字形の管路を画定する。この場合、スライダは、制御部材がロック位置にあるときにＹ字形の管路内に突出するロックピンを含む。好ましくは、ロックピンは、制御部材がロック解除位置にあるときにＹ字形状の管路から少なくとも部分的に引き込まれる。
【００１９】
本発明の第５の形態によれば、本発明の第１または第３の形態によるジッパーと、ロック位置からロック解除位置に制御部材を移動させるための永久磁石とを備えるキットが提供される。
【００２０】
本発明の第６の形態によれば、本発明の第１または第３の形態によるジッパーによって閉鎖されるバッグを備えるセキュリティバッグが提供される。バッグは、バッグの内容の観察を可能にするように透明プラスチック材料から少なくとも部分的に形成されることが好ましい。
【００２１】
以下は、一例として、本発明の実施形態のより詳細な説明であり、添付の概略図が参照される。
【図面の簡単な説明】
【００２２】
【図１】図１は、ジッパーのスライダを示す上からの等角図である。
【図２】図２は、図１のスライダの正面図である。
【図３】図３は、ロック構造の図１および図２のスライダを示し、同様にジッパーのある要素を示す部分断面の図面である。
【図４】図４は、ロック解除構造の図１〜図３のスライダを示し、同様にジッパーのある要素を示す部分断面の図面である。
【図５】図５は、スライダの頂部に密接に近接した小売り磁石デタッチャを示す図４と同様の図面である。
【図６】図６は、セキュリティバッグに組み込まれたジッパーの図面である。
【発明を実施するための形態】
【００２３】
図１、図２および図６を最初に参照すると、ジッパーは、相互ロック可能な要素１３およびスライダ１４の２つの列１０、１２を備える。相互ロック可能な要素１３の２つの列１０、１２は、従来の構造であり、詳細に説明しない。各列１０、１２の要素１３は、例えば、列１０、１２を形成するようにプラスチックストリップに公知の方法で取り付けられた金属またはプラスチック要素であり得る。
【００２４】
スライダ１４は、スライダ１４がジッパーを開放するように開放方向に、またジッパーを閉鎖するように閉鎖方向の両方の方向に摺動することができるように、２つの列１０、１２の要素１３と係合する。
【００２５】
次に図１〜図４を参照すると、スライダ１４は、底部プレート１６と、頂部プレート１８と、底部プレート１６と頂部プレート１８とを接続しかつ２つのプレート１６、１８を互いに平行にかつ離間して保持するセパレータ２０とを有する。
【００２６】
図２に最善に示されているように、底部プレート１６は２つのフランジ２２を有し、頂部プレート１８は２つのフランジ２４を有する。従来の方法で、底部プレート１６、頂部プレート１８、セパレータ２０、底部プレートフランジ２２および頂部プレートフランジ２４は、２つの列１０、１２の要素１３を共に受容するＹ字形の管路２６を画定する。スライダ１４（図１参照）の後部に、Ｙ字形の管路２６は後部開放部２８を有し、これを通して相互ロック状態の２つの列１０、１２の要素１３が延びる（図６参照）。スライダ１４の前部に（図２参照）、Ｙ字形の管路２６は２つの前部開放部３０、３２を有し、これらを通して非係合状態の２つの列１０、１２の要素１３のそれぞれの列が延びる（図示せず）。
【００２７】
スライダ１４の移動の開放方向は、図４に示したように右手側から左手側の２つの列１０、１２の要素１３に対するスライダ１４の移動に対応する。逆に、スライダ１４の移動の閉鎖方向は、図４に示したように左手側から右手側の２つの列１０、１２の要素１３に対するスライダ１４の移動に対応する。スライダ１４がジッパーを開閉する方法は従来の通りである。
【００２８】
図１〜図４を参照すると、頂部プレート１８は一般に円盤状である。頂部プレート１８の上面は、第１の凹部３４、第２の凹部３６、および第２の凹部３６の底部から完全に頂部プレート１８を通して頂部プレート１８の下面に延びる開口３８により形成される。
【００２９】
円筒状壁４０は、頂部プレート１８の上面に、頂部プレート１８の周縁の周りに固定される。円筒状壁４０の上端に、内向きに突出するフランジ４２および開放部４４が設けられる。ボタン４６は開放部４４内に嵌合する。ボタン４６にフランジ４８が設けられ、このフランジは、円筒状壁４０のフランジ４２と協働して、図３および図４に示したようにボタン４６が開放部４４から移動することを防止する。ボタン４６およびと円筒状壁４０は、プラスチック材料から形成される。
【００３０】
図３および図４に見られるように、スライダ１４は、枢着ロック部材５０を有する。ロック部材５０は、ステンレス鋼から形成され、一方の端部に、枢着部分５２を有する。枢着部分５２は、ロック部材５０がほぼ枢着部分５２の周りに枢着することを可能にするように、頂部プレート１８の第１の凹部３４に受容される。ロック部材５０はまた、ロックピン５６が突出する本体部分５４を有する。図３に最善に示されているように、ロック部材５０の本体部分５４は、頂部プレート１８の第２の凹部３６内に受容されるように成形され、その結果、ロックピン５６は頂部プレート１８の開口３８を通して突出する。
【００３１】
なお図３および図４を参照すると、スライダ１４はまた、制御部材５８を含む。制御部材５８は、ボタン４６に向かって上向きに面する開放端と、頂部プレート１８に向かって下向きに面する閉鎖端とを有するカップ部分６０を有する。カップ部分６０はまた、ステンレス鋼から製造される。小さな円盤状の永久磁石６２は、カップ部分６０の閉鎖端においてカップ部分６０の内側に固定される。第１の螺旋ばね６４は、カップ部分６０内に保持され、制御部材５８を下向きに付勢して、枢着ロック部材５０の本体部分５４と接触させるように、円盤状の磁石６２とボタン４６との間で作用する。
【００３２】
スライダ１４はまた戻り止め６６を含む。戻り止め６６は、円筒状壁４０に対面する開放端と、制御部材５８に略対面する閉鎖端とを有するカップ部分６８を含む。丸い頭部７０がカップ部分６８の閉鎖端に設けられる。第２の螺旋ばね７２は、カップ部分６８内に保持され、カップ部分６８と円筒状壁４０との間で作用して、カップ部分６８と丸い頭部７０とを制御部材５８に向かって付勢する。カップ部分６８および戻り止め６６の丸い頭部７０は、プラスチック材料から形成される。
【００３３】
分かりやすさのため図示していないが、スライダ１４には、図３および図４に示した位置の間の制御部材５８および戻り止め６６の移動を可能にするように、制御部材５８と戻り止め６６とを正しい位置に保持するように機能する様々な内壁または構造を設けてもよい。
【００３４】
次に、ジッパーの操作について説明する。
【００３５】
スライダ１４の自然の構成は、図３に示されているロック構成である。このロック構成では、制御部材５８のカップ部分６０は、第１の螺旋ばね６４によって下向きに保持され、この結果、カップ部分６０は、枢着ロック部材５０の本体部分５４を支承する。次に、枢着ロック部材５０は、本体部分５４が頂部プレート１８の第２の凹部３６内に位置し、ロックピン５６が頂部プレート１８の開口３８を通過するように、制御部材５８によって下方に保持される。図３に見られるように、ロックピン５６は、２つの列１０、１２の要素１３から要素１３の間に間挿される。
【００３６】
ロックピン５６は、枢着ロック部材５０が図３に示したロック位置にあるときに、２つの列１０、１２の要素１３に対して垂直に位置する第１の平坦面７４を有する。平坦面７４と、２つの列１０、１２の要素１３の一方との間の接触により、開放方向のスライダ１４の摺動移動（すなわち、図３に示したように右手側から左手側）が防止される。
【００３７】
ロックピン５６はまた、傾斜面７６を有する。枢着ロック部材５０がロック位置にあるとき、図３に示したように、傾斜面７６は、２つの列１０、１２の要素１３に対して傾斜している。閉鎖方向に（図３に示したように左から右に）スライダ１４を移動させる傾向を有する力がスライダ１４に適用された場合、傾斜面７６が２つの列１０、１２の要素１３をカムし、これにより、次に、ロックピン５６が２つの列１０、１２の要素１３の間から係合解除されるように、枢着ロック部材５０が枢着させられる。このようにして、スライダ１４が閉鎖方向に移動されるにつれて、枢着ロック部材５０は爪として作用し、２つの列１０、１２の要素１３をラチェットする。開放方向にスライダ１４を移動させる任意の試みも、ロックピン５６が２つの列１０、１２の要素１３をロックするようにさせ、これによって、ジッパーの開放を防止する。このことが達成される理由は、制御部材５８が、第１の螺旋ばね６４の動作の下で枢着ロック部材５０を支承し、図３に示したロック位置内に枢着ロック部材５０を付勢するからである。
【００３８】
図３および図４に見られるように、制御部材５８は、円筒状壁４０、ボタン４６および頂部プレート１８からなるケーシング内に実質的に完全に囲まれる。制御部材５８が包囲されるという事実は、図３に示したロック位置から上向きに制御部材５８を移動させるように、指またはねじ回しのような工具によって制御部材５８に接触することができないことを意味する。
【００３９】
図３に示したロック構成から図４に示したロック解除構成にスライダ１４をロック解除するためには、図５に示したように、強力な永久磁石を使用することが必要である。図５は、衣類のような物品からのセキュリティタグを取り外すために、小売店で共通に使用されるタイプの取り外し磁石７８を示している。取り外し磁石７８がボタン４６に対して軽く配置されたとき、磁気吸引力が、取り外し磁石７８と制御部材５８のカップ部分６０との間に作用する（カップ部分６０はステンレス鋼製である）。この磁気力は、図４および図５に示したように、カップ部分６０が、ボタン４６に対してロック解除位置内に上向きに移動するようにさせる。この移動により、第１の螺旋ばね６４は圧縮させられる。カップ部分６０がボタン４６に接触すると、戻り止め６６の丸い頭部７０は、もはやカップ部分６０に係合せず、これにより、戻り止め６６は、第２の螺旋ばね７２の動作の下で図３〜図５に示したように左から右の方向に移動することが可能になる。次に、この移動により、戻り止め６６の丸い頭部７０は、制御部材５８のカップ部分６０の閉鎖端の下に係合するようにされる。この位置にあるとき、戻り止め６６は、制御部材５８が枢着ロック部材５０に向かって下方に移動して戻ることを防止する。戻り止め６６が、図４および図５に示したロック解除位置に制御部材５８を保持するように作用すると、制御部材５８は、取り外し磁石７８が取り外された場合でも、ロック解除位置に留まる。
【００４０】
制御部材５８は、枢着ロック部材５０をもはや下方に押圧しない。制御部材５８に設けられた円盤磁石６２は、枢着ロック部材５０（ステンレス鋼から製造される）を引き付け、枢着ロック部材５０が図４と５に示す上昇したロック解除位置内に枢着するようにさせる。このロック解除位置において、ロックピン５６は、２つの列１０、１２の要素１３の間にもはや間挿されない。したがって、制御部材５８がロック解除位置にあって、スライダ１４は、開放方向または閉鎖方向に自由に移動することができる。
【００４１】
スライダ１４は、ボタン４６を押し下げることによって図３に示したロック構成に戻される。ボタン４６が押し下げられると、これにより、制御部材５８が押し下げられる。次に、制御部材５８のカップ部分６０は、戻り止め６６の丸い頭部７０を下方に支承し、これにより、制御部材５８が下向きに移動して、枢着ロック部材５０と接触することを可能にするように、戻り止め６６が第２の螺旋ばね７２に対抗して円筒状壁４０に向かって押圧されて戻される。この動作中、戻り止め６６の丸い頭部７０が移動して戻り、制御部材５８のカップ部分６０の円周面と接触する。制御部材５８は、第１の螺旋ばね６４によって適用される力の下で、図３に示したロック位置内に枢着ロック部材５０を押圧して戻す。したがって、再び、開放方向のスライダの移動が防止される。
【００４２】
したがって、ジッパーは、通常ロック構成にあり、ジッパーの無許可の開放を防止する。しかし、ジッパーは、小売取引ですでに共通に使用されているタイプの強力な永久磁石を使用して、迅速、容易、かつ極めて簡単にロック解除することができる。無許可の開放に対してロックすることができる既存のジッパーとは異なり、組み合わせロックのコードを覚えるかまたは適切なキーを携行する必要はない。スライダは、ボタン４６を押圧することによって簡単にロックすることができる。
【００４３】
ジッパーの著しく望ましい使用が図６に示されている。図６は、小売り環境で、例えばスーパーマーケットでセキュリティバッグとして便利に使用されるバッグ８０に取り付けられたジッパーを示している。バッグ８０は、引き裂きまたは切断抵抗性の頑丈なプラスチック材料から形成される。バッグ８０はまた、セキュリティバッグ内に配置された任意の製品が潜在的顧客によって容易に観測できるように透明である。バッグ８０にはまた、小売り環境からセキュリティバッグ８０を持ち出す試みが行われた場合、聴覚的なアラームを誘発するように設計されたセキュリティタグを設けてもよい。
【００４４】
使用時、製品はバッグ内に配置され、ジッパーはスライダ１４を閉鎖方向に摺動させることにより閉鎖される。スライダ１４が、図３に示したロック構成にあるとき、スライダを反対側の開放方向に摺動させて、バッグを開放することはできない。バッグから物品を取り外すことが望まれるとき、店員は、開放方向にスライダ１４を摺動させることを可能にするように、上述のように、取り外し磁石７８を使用して、スライダ１４をロック解除することができる。
【００４５】
特許請求の範囲に規定されるような本発明の範囲から逸脱することなしに、多くの適応をジッパーにまたはセキュリティバッグに行ってもよいことが認識されるであろう。
【００４６】
このような１つの適応において、戻り止め６６および枢着ロック部材５０を省略することが可能である。その代わりに、制御部材５８に、制御部材５８にしっかりと取り付けられるかまたは制御部材５８と一体に形成されるロックピンを設けてもよい。次に、制御部材５８は、ロックピンが２つの列１０、１２の要素１３の間に間挿するように、関連のロックピンと共に螺旋ばね６４によって下向きに永続的に付勢されるであろう。このようにして、スライダ１４は、第１の螺旋ばね６４に対抗して制御部材をロック解除位置内に移動させるように、取り外し磁石７８がスライダ１４に対して配置されない限りまた配置されるまで開放方向の移動に対してロックされるであろう。この適応において、制御部材５８は、取り外し磁石７８が取り外されるとすぐにロック位置内に移動して戻るであろう。したがって、この実施形態では、スライダが開放方向に移動されていた時間全体の間、スライダに対抗して取り外し磁石７８を保持することが必要であったであろう。
【００４７】
他の代わりの実施形態では、制御部材を完全に囲むことは不要である。制御部材は、例えば、金属製円筒の形態を取ることができるであろう。上述のケーシングの代わりに、制御部材は、開放端を有する円筒状チューブ内に密接して嵌合するであろう。次に、制御部材は、磁石を制御部材と接触させるように、チューブの開放端内に円筒状磁石を挿入し、次に、ロック解除位置内に制御部材を上向きに引っ張るように磁石を上向きに引っ張ることによって、ロック解除位置内に持ち上げることができるであろう。円筒状チューブは、円筒状ロック部材の平坦な端面のみがアクセス可能であるので、泥棒がその指によりまたは工具により制御部材の上の購入品を奪うことを防止するであろう。
【図１】
2016506801.tif 000003
【図２】
2016506801.tif 000004
【図３】
2016506801.tif 000005
【図４】
2016506801.tif 000006
【図５】
2016506801.tif 000007
【図６】
2016506801.tif 000008
【国際調査報告】
2016506801.tif 000009
2016506801.tif 000010